(57)【特許請求の範囲】
【請求項１】
炭化水素抗井で用いられるねじ付き接続構造を達成するセットであって、以下の：
・同一のリードの少なくとも２のねじ付き領域（１１１、１１２；１２１，１２２）を外周面上に備える１の末端（１１；１２）を備える第１管状コンポーネント；
・少なくとも２つのねじ付き領域（２１１、２１２；２２１，２２２）を内周面上に備える第２管状コンポーネント（２１；２２）；
・内周面上に少なくとも１のねじ付き領域（２０１；２０１’）を備え、かつ、外周面上に少なくとも１のねじ付き領域（２０２；２０２’）を備える１の末端（２０；２０’）を備える第３管状コンポーネント；
を備え、ここで：
・第３コンポーネントの端部（２０；２０’）の内周面上に設けられたねじ付き領域（２０１；２０１’）は、第１コンポーネントの端部（１１；１２）の２つのねじ付き領域（１１１；１２１）の一方との組立により協働することができ；
・第３コンポーネントの端部（２０；２０’）の外周面上に設けられたねじ付き領域（２０２；２０２’）は、第２コンポーネント（２１；２２）の２つのねじ付き領域（２１１；２２１）の一方との組立により協働することができ、第２及び第３のコンポーネントは、さらに、前記ねじ付き領域の組立終期を決める手段を備え；
・第１コンポーネントの端部（１１；１２）上に設けられた他のねじ付き領域（１１２；１２２）は、第２コンポーネント（２１；２２）上に設けられた他のねじ付き領域（２１２；２２２）との組立により協働することができ；
・前記第１コンポーネントの端部（１１；１２）は、端面（１１３；１２３）上で、前記第２コンポーネント（２１；２２）上の肩部（２０３ｓ；２０３’ｓ）により形成される表面上に設けられた対応する隣接面及び封止面と隣接しかつ締め付けにより協働することができる隣接面及び封止面を備える、ねじ付き接続構造を達成するセット。
【請求項２】
第３コンポーネントの端部（２０；２０’）の外周面上に設けられたねじ付き領域（２０２；２０２’）のリードは、第３コンポーネントの端部（２０：２０’）の内周面上に設けられたねじ付き領域（２０１；２０１’）のリードよりも少なくとも１０％大きい、請求項１記載のねじ付き接続構造を達成するセット。
【請求項３】
第３コンポーネントの端部（２０；２０’）の外周面上に設けられたねじ付き領域（２０２；２０２’）及び第３コンポーネントの端部（２０；２０’）の内周面上に設けられたねじ付き領域（２０１；２０１’）は、互いに反対方向である、請求項１又は２記載のねじ付き接続構造を達成するセット。
【請求項４】
第３コンポーネントの端部（２０；２０’）の外周面上に設けられたねじ付き領域（２０２；２０２’）と第２コンポーネント（２１；２２）の対応するねじ付き領域（２１１；２２１）の組立終期を決める手段は、第３コンポーネントの端部（２０；２０’）の端面（２０３；２０３’）上及び第２コンポーネント（２１；２２）上の肩部（２１３；２２３）により形成される表面上に各々設けられる隣接面である、請求項１〜３いずれか１項記載のねじ付き接続構造を達成するセット。
【請求項５】
第３コンポーネントの端部（２０；２０’）の外周面上に設けられたねじ付き領域（２０２；２０２’）と第２コンポーネントの対応するねじ付き領域（２１１；２２１）の間の組立終期を決める手段が、相互に自動ロックする前記ねじ付き領域により構成される、請求項１〜３いずれか１項記載のねじ付き接続構造を達成するためのセット。
【請求項６】
管状コンポーネントのねじ付き領域は、テーパー角度が０．５〜４°の範囲であるテーパー包絡線上にある、請求項１〜５いずれか１項記載のねじ付き接続構造を達成するセット。
【請求項７】
第１コンポーネントの端部（１１；１２）上に設けられたねじ付き領域（１１１、１１２；１２１、１２２）は、単一の連続するねじを形成するように同じテーパー状包絡線上にある、請求項１〜６いずれか１項記載のねじ付き接続構造を達成するセット。
【請求項８】
炭化水素抗井で用いられるねじ付き接続構造を達成する方法であって、以下の：
・請求項１〜７いずれか１項記載のねじ付き接続構造を達成するセットを提供するステップ；
・組立が完成するまでに、第３コンポーネントの端部（２０；２０’）の外周面上に設けられたねじ付き領域（２０２；２０２’）を第２コンポーネントの端部（２１；２２）上に設けられた対応するねじ付き領域（２１１；２２１）に組み立てるステップ；
・第１管状コンポーネント（１１；１２）の端部の外周面上に設けられた２つのねじ付き領域（１１１、１１２；１２１、１２２）を、第２及び第３コンポーネントの内周面（２１２、２０１；２２２、２０１’）上に各々設けられた対応するねじ付き領域に組み立てるステップ；
を備える、ねじ付き接続構造を達成する方法。
【請求項９】
最終的に、分解トルクＣ０が第２管状コンポーネントと第３管状コンポーネントの間に印加される、請求項８記載のねじ付き接続構造を達成する方法。
【請求項１０】
第１及び第３管状コンポーネントは非常に長い管であり、第２管状コンポーネントはカップリングである、請求項９記載の方法を用いて達成される接続構造。
【請求項１１】
第１管状コンポーネントは非常に長い管であり、第２及び第３の管状コンポーネントはカップリングである、請求項９記載の方法を用いて達成される接続構造。
【請求項１２】
第３コンポーネントが１の同一の管状コンポーネントを形成する請求項１１記載の２つの接続構造により構成される、二重接続構造。
【請求項１３】
ライザーにおける、請求項９〜１２いずれか１項記載のねじ付き接続構造の使用。
【請求項１４】
請求項９又は１０記載のねじ付き接続構造を分解する方法であって、以下の：
・第２管状コンポーネントと第３管状コンポーネントの間に組立トルクＣ０を印加するステップ；
・管状コンポーネント（１１；１２）の第１の端部の外周面上に設けられた２つのねじ付き領域（１１１、１１２；１２１、１２２）を対応するねじ付き領域から分解するステップ；
・第３の端部（２０：２０’）の外周面上に設けられたねじ付き領域（２０２；２０２’）をねじ付き領域（２１１；２２１）から分解するステップ；
を備えることを特徴とするねじ付き接続構造を分解する方法。
【発明の詳細な説明】
【技術分野】
【０００１】
本発明は、炭化水素抗井の掘削又は作業のために用いられるねじ付き接続構造を達成するセットに関する。当該セットは、端部の一方に雄タイプのねじ付き領域を備える第１及び第２の管状コンポーネント、各コンポーネントは、また、第３管状コンポーネントを備えるが、当該第３管状コンポーネントは、好ましくは、第１及び第２の管状コンポーネントよりも短く、かつ、各両端に雌タイプのねじ付き領域を備え、前記雄ねじ付き領域と組立てると協働することができる。本発明は、当該セットを形成するための方法及び当該セットが形成されて得られるねじ付き接続構造に関する。本発明はまた、分解方法に関する。
【背景技術】
【０００２】
「炭化水素抗井の掘削及び作業のために用いられるコンポーネント」との用語は、同タイプの他の要素に接続される若しくは炭化水素抗井を掘削するためのストリングや改修ライザー等のメンテナンス用ライザー又は抗井の作業に関するケーシングストリングや管状ストリングを構成して完成するように意図された、実質的に管状形状であるいかなる要素をも意味する。
【０００３】
「接続構造」との用語は、管状コンポーネント間のつながりを意味する。例として、一方の雄ねじが設けられた端部を他の雌ねじが設けられた端部に組み立てることにより、これら２つの非常に長い管をつなぐことが公知である。また、カップリングともいうより短い管状コンポーネントを用いて、このカップリングの各雌端を２つの非常に長い管状コンポーネントの雄ねじ端に組み立てることによりこれら２つの非常に長い管状コンポーネントを接続することが公知である。
【０００４】
公知の方法では、炭化水素抗井の掘削用途や作業のために用いられるコンポーネントは高い組立トルクで互いに組み立てられる。後者は、一般的に、コンポーネントの各隣接面の締め付けにより又は自動ロックねじというねじによる協働により達成される。しかしながら、例えば、ライザーの場合のようなある用途では、高い応力を誘発する。このため、コンポーネントの分解を防ぐために非常に高い組立トルクを用いなければならない。しかしながら、組立トルクは可塑化の危険があり制限される。このように、不慮の分解の危険性に備えて確実に接続されることが求められる。
【０００５】
管状コンポーネントが互いに回転することを阻止する部品を用いて、分解に備えて共に組み立てられる管状コンポーネントをロックすることができる。特許文献１では、第１管状コンポーネントは第２管状コンポーネントと組み立てられるが、この第１管状コンポーネントは外径がより狭い部分を圧迫する。２つのリングが組み立てられると、互いのコンポーネントをブロックする。当該リングはまた、前記リングへ固定されるロッドにより共に固定される。特許文献２では、第１管状コンポーネントは、第２の管状コンポーネントと組み立てられ、一方の他方に対する相対回転が、第１及び第２のコンポーネントの厚みに延伸するハウジングにおけるねじによりブロックされる部分を用いてロックされる。
【先行技術文献】
【特許文献】
【０００６】
【特許文献１】欧州特許出願第１６６４４７７号
【特許文献２】米国特許第４４０６４８５号
【特許文献３】ＷＯ０３／０４８６２３
【特許文献４】ＷＯ０４／１０９１７３
【発明の概要】
【発明が解決しようとする課題】
【０００７】
しかしながら、当該タイプの解決策では、接続構造に存在する部品の数が増えたり、ねじ、ボルト等を用いたりする不利益があり、実際、（部品の数に依存する）メンテナンス且つ抗井の汚染（例えば、ねじの紛失の危険性）を制限するためには施設はできる限り簡素に設計しなければならないため、ユーザーには正確に理解されない。
【課題を解決するための手段】
【０００８】
本発明は、接続構造の稼動時にセットが容易に分解しない接続構造を達成するための、一方を他方に容易に組み立てることができる管状コンポーネントのセットに関する。
【０００９】
より的確には、炭化水素抗井で用いられるねじ付き接続構造を達成するセットであって、以下の：
・同一のリードの少なくとも２のねじ付き領域を外周面上に備える１の末端を備える第１管状コンポーネント；
・少なくとも２つのねじ付き領域を内周面上に備える第２管状コンポーネント；
・内周面上に少なくとも１のねじ付き領域を備え、かつ、外周面上に少なくとも１のねじ付き領域を備える１の末端を備える第３管状コンポーネント；
を備え、ここで：
・第３コンポーネントの端部の内周面上に設けられたねじ付き領域は、第１コンポーネントの端部の２つのねじ付き領域の一方との組立により協働することができ；
・第３コンポーネントの端部の外周面上に設けられたねじ付き領域は、第２コンポーネントの２つのねじ付き領域の一方との組立により協働することができ、第２及び第３のコンポーネントは、さらに、前記ねじ付き領域の組立終期を決める手段を備え；
・第１コンポーネントの端部上に設けられた他のねじ付き領域は、第２コンポーネント上に設けられた他のねじ付き領域との組立により協働することができる；
前記セットである。
【００１０】
ある特徴として、第３コンポーネントの端部の外周面上に設けられたねじ付き領域のリードは、第３コンポーネントの端部の内周面上に設けられたねじ付き領域のリードよりも少なくとも１０％大きく、好ましくは、第３コンポーネントの端部の内周面上に設けられたねじ付き領域のリードの２倍に等しい。
【００１１】
１の特徴として、第３コンポーネントの端部の外周面上に設けられたねじ付き領域及び第３コンポーネントの端部の内周面上に設けられたねじ付き領域は、互いに反対方向である。
【００１２】
１の特徴として、第３コンポーネントの端部の外周面上に設けられたねじ付き領域と第２コンポーネントの対応するねじ付き領域の組立終期を決める手段は、第３コンポーネントの端部の端面上及び第２コンポーネント上の肩部により形成される表面上に各々設けられる隣接面である。
【００１３】
１の特徴として、第１コンポーネントの端部は、端面上で、第２コンポーネント上の肩部により形成される表面上に設けられた対応する隣接面と隣接して協働することができる隣接面を備える。
【００１４】
１の特徴として、第３コンポーネントの端部の外周面上に設けられたねじ付き領域と第２コンポーネントの対応するねじ付き領域の間の組立終期を決める手段が、相互に自動ロックする前記ねじ付き領域により構成される。
【００１５】
１の特徴として、第１コンポーネントの端部は、その端面上で、第２コンポーネント上の肩部により形成される表面上に設けられた対応する封止表面での締め付けにより協働することができる封止表面を備える。
【００１６】
１の特徴として、管状コンポーネントのねじ付き領域は、テーパー角度が０．５〜４°の範囲であるテーパー包絡線上にある。
【００１７】
１の特徴として、第１コンポーネントの端部上に設けられたねじ付き領域は、単一の連続するねじを形成するように同じテーパー状包絡線上にある。
【００１８】
炭化水素抗井で用いられるねじ付き接続構造を達成する方法であって、以下の：
・前記のねじ付き接続構造を達成するセットを提供するステップ；
・組立が完成するまでに、第３コンポーネントの端部の外周面上に設けられたねじ付き領域を第２コンポーネントの端部上に設けられた対応するねじ付き領域に組み立てるステップ；
・第１管状コンポーネントの端部の外周面上に設けられた２つのねじ付き領域を、第２及び第３コンポーネントの内周面上に各々設けられた対応するねじ付き領域に組み立てるステップ；
・分解トルクＣ０が第２管状コンポーネントと第３管状コンポーネントの間に印加されるステップ；
を備える、ねじ付き接続構造を達成する方法である。
【００１９】
ある接続構造は、第１及び第３管状コンポーネントは非常に長い管であり、第２管状コンポーネントはカップリングである発明の方法を用いて達成されてよい。
【００２０】
ある接続構造は、第１管状コンポーネントは非常に長い管であり、第２及び第３の管状コンポーネントはカップリングである発明の方法を用いて達成されてよい。
【００２１】
ある二重接続構造は、第２及び第３の管状コンポーネントはカップリングである発明の方法を用いて達成される。第３コンポーネントは１の同一の管状コンポーネントを形成する。
【００２２】
本発明のねじ付き接続構造はライザーにおいて使用されてよい。
【００２３】
ねじ付き接続構造を分解する方法であって、以下の：
・第２管状コンポーネントと第３管状コンポーネントの間に組立トルクＣ０を印加するステップ；
・管状コンポーネントの第１の端部の外周面上に設けられた２つのねじ付き領域を対応するねじ付き領域から分解するステップ；
・第３の端部の外周面上に設けられたねじ付き領域をねじ付き領域から分解するステップ；
を備える。
【００２４】
本発明の特徴及び効果は以下の記載でより詳細に説明され、添付の図面を参照してなされるであろう。
【図面の簡単な説明】
【００２５】
【図１】図１はカップリングを用いて組み立てた２つの非常に長い管状コンポーネントの１のセットを接続することにより得られる接続構造の長手方向断面図である。
【図２】図２はカップリングを用いて組み立てた２つの非常に長い管状コンポーネントの１のセットを接続することにより得られる接続構造の長手方向断面図である。
【図３】図３は、３つの部分により構成されるカップリングを用いて（組立により）２つの非常に長い管状コンポーネントの１のセットを接続することにより得られる接続構造の長手方向断面図である。
【発明を実施するための形態】
【００２６】
図１は回転軸１０がある３つの管状コンポーネントを示す。第１コンポーネントの両端１２の一方はその外周面に２つのねじ付き領域１２１、１２２を備える。当該ねじ付き領域の各リードは同一である。第２管状コンポーネント２２はその内周面に２つのねじ付き領域２２１、２２２を備える。第３コンポーネントは両端部２０’の一方にその内周面上にねじ付き領域２０１’とその外周面上にねじ付き領域２０２’を備える。
【００２７】
第３コンポーネントの端部２０’の内周面上に設けられたねじ付き領域２０１’は、第１コンポーネントの端部１２の外周面上に設けられたねじ付き領域１２１と組み立てることにより協働することができる。第１及び第３のコンポーネントは、さらに、組立が所定回転数の後に停止されるように、前記ねじ付き領域の組立終期を決めるための手段を備える。ここでは、当該手段は、第３管状コンポーネントの肩部２０３’ｓと第１管状コンポーネントの端面１２３に各々設けられた隣接面を含む。また、例えば、ねじ付き領域２０１’及び１２１の自動ロックねじ等の組立終期を決めることができる要素を想起できる。このねじの原理は、ねじ幅をコンポーネントの端面から離れるにつれて広げると共に、ねじ谷底部の幅がもはやねじを進めない程度の幅である場合には組立の終わりにフランク同士が衝突してねじがロックされるように、ねじ谷底部の幅を狭めることである。
【００２８】
第３コンポーネントの端部２０’の外周面上に設けられたねじ付き領域２０２’は、第２コンポーネント２２のねじ付き領域２２１と組み立てることにより協働することができる。第２コンポーネント２２と第３コンポーネントの端部２０’は、さらに、組立が所定回転数の後に停止されるように、前記ねじ付き領域の組立終期を決める手段を備える。ここでは、これらの手段は、第２管状コンポーネントの肩部２０３’及び第３管状コンポーネントの端面２２３に各々設けられた隣接面を含む。また、例えば、ねじ付き領域２０２’及び２２１の自動ロックねじ等の組立終期を決めることができる要素を想起できる。
【００２９】
第１の端部１２上に設けられた他のねじ付き領域１２２は、第２コンポーネント２２上に設けられた他のねじ付き領域２２２と組み立てることにより協働することができる。
【００３０】
「ねじ付き領域」との用語は、ねじを備えた管状コンポーネントの周表面に属すいかなる領域をも意味し、ねじは、連続でもよく、中断してもよく、複数であってもよく、単一であってもよく、規則的であってもよく、不規則であってもよい。
【００３１】
「端面」との用語は、管状コンポーネントの長手軸に沿って延伸する周表面に対して、管状コンポーネントの厚みを通して管状コンポーネントの端部の自由端まで延伸する表面を意味する。換言すれば、端面は、管状コンポーネントの軸１０について放射線状に配向した環状表面の形態である。
【００３２】
図２に示された実施の形態は図１と類似する。また、回転軸１０がある３つの管状コンポーネントがある。第１コンポーネントの両端１１の一方は、その外周面に２つのねじ付き領域１１１及び１１２を備える。当該ねじ付き領域の各リードは同一である。第２管状コンポーネント２１は、その内周面に２つのねじ付き領域２１１及び２１２を備える。第３コンポーネントは、その両端２０の一方にその内周面上のねじ付き領域２０１とその外周面上にねじ付き領域２０２を備える。
【００３３】
第３コンポーネントの端部２０の内周面上に設けられたねじ付き領域２０１は、第１コンポーネントの端部１１の外周面上に設けられたねじ付き領域１１１と組み立てることにより協働することができる。第３コンポーネントの端部２０の外周面上に設けられたねじ付き領域２０２は、第２コンポーネント２１のねじ付き領域２１１と組み立てることにより協働することができる。第２コンポーネント２１と第３コンポーネントの端部２０は、さらに、組立が所定回転数の後に停止されるように、前記ねじ付き領域の組立終期を決める手段を備える。第１端部１１上に設けられたねじ付き領域１１２は、第２コンポーネント２１に設けられたねじ付き領域２１２と組み立てることにより協働することができる。
【００３４】
図１及び図２に示された２つの変形例は、第１及び第３の管状コンポーネント端部間の強化組立モードを構成する。実際に、第１及び第３コンポーネントの端部同士を組立により固定することは、第１コンポーネントに設けられたねじ付き領域と第３コンポーネントに設けられたねじ付き領域の間の直接的協働に部分的に関する。次に、それはまた、第１コンポーネント及び第２コンポーネント間及び第２コンポーネント及び第３コンポーネント間のねじ付き領域の協働に関する。要するに、第２コンポーネントの長さで表される部分で、ねじ付き領域は長いように見える。これは、ねじ間の接触表面を全体的に締め付けることは、この部分で管の単位長さあたりでは非常に高いことを意味する。
【００３５】
第３コンポーネントのねじ付き領域に関連するある特性を行うことによる組立で、第１及び第３の管状コンポーネントをさらに最適に固定することができる。
【００３６】
第１の改良により、かつ、図１及び図２を参照すると、第３コンポーネントの端部２０、２０’の外周面上に設けられたねじ付き領域２０２、２０２’のリードは、前記端部２０、２０’の内周面上に設けられたねじ付き領域２０１、２０１’のリードよりも少なくとも１０％長い。「リード」との用語は、完全に一回転した場合に管状コンポーネントによりカバーされる距離を意味する。また、ねじ付き管状コンポーネントを相補ねじがある他の管状コンポーネントに組み入れる場合、前記ねじ付きコンポーネントは回転軸に沿って平行移動することにより動かすことが想起されるであろう。
【００３７】
このように、第１、第２及び第３の管状コンポーネントが共に組み立てられる場合、第１及び第２の端部により構成されるセットから第３コンポーネントを分解することはできない。実際、第１及び第２のコンポーネントにより構成されるセットにおける第３管状コンポーネントを保持するねじ付き領域２０１、２０２、２０１’、２０２’間のリードの違いによりロックがおこる。第３管状コンポーネントを分解しようとすると、第３コンポーネントの端部２０、２０’の外周面上にあるねじ付き領域２０２、２０２’とその内周面上にあるねじ付き領域２０１、２０１’の間にゆがみがあり；より的確には、第３コンポーネントの内周面上にあるねじ付き領域の荷重フランクを第１コンポーネントの端部１１、１２の外周面上にあるねじ付き領域の荷重フランクに対して押圧することに関する。
【００３８】
第２の改良により、かつ、図１及び図２を参照すると、第３コンポーネントの端部２０、２０’の外周面上に設けられたねじ付き領域２０２、２０２’は、前記端部２０、２０’の内周面上に設けられたねじ付き領域２０１、２０１’と反対方向に生成される。このように、第１、第２及び第３の管状コンポーネントが共に組み立てられると、第１及び第２の端部により構成されるセットから第３コンポーネントを分解することができない。実際、第１及び第２のコンポーネントにより構成されるセットにおいて第３コンポーネントを保持するねじ付き領域２０１、２０２、２０１’、２０２’の方向を反転するとロックがおこる。
【００３９】
第１コンポーネントの端部１１、１２の外周面上に形成されたねじ付き領域１１１、１２１及び１１２，１２２の多様性のためにおこるロックとは、以下の：
・ねじ付き接続構造を達成するためのセットを提供するステップ；
・組立が終了するまでに、第３コンポーネントの端部２０；２０’の外周面上に設けられたねじ付き領域２０２；２０２’を第２コンポーネントの端部２１；２２上に設けられた対応するねじ付き領域２１１；２２１に組み立てるステップ；
・第１管状コンポーネント１１；１２の端部の外周面上に設けられた２つのねじ付き領域１１１，１１２；１２１，１２２を第２及び第３のコンポーネントの内周面２１２，２０１；２２２，２０１’上に各々設けられた対応するねじ付き領域に組み立てるステップ；
・第２管状コンポーネントと第３管状コンポーネントの間に分解トルクＣ０を印加するステップ；
を含む方法を用いて、第１、第２及び第３のコンポーネントで構成されるセットがロックされうることを意味する。
【００４０】
そのトルクＣ０の選択については、管状コンポーネントの寸法と選択された用途（掘削、ライザー等）の関数として定義されなければならない。
【００４１】
このように、ねじ付き領域１１１、１２１の荷重フランクは対応するねじ付き領域２０１、２０１’の荷重フランクへ押圧されたままで、ねじ付き領域１１２、１２２の突き刺しフランクは対応するねじ付き領域２１２，２２２の突き刺しフランクに対して押圧される。当該押圧により第１管状コンポーネントの分解が阻止される。
【００４２】
従って、以下の：
・第１コンポーネントのねじ付き領域１１１、１２１と１１２、１２２の間の押圧を取り除くために第２管状コンポーネントと第３管状コンポーネントの間に組立トルクを印加するステップ；
・管状コンポーネント１１；１２の第１の端部の外周面上に設けられた２つのねじ付き領域１１１、１１２；１２１、１２２を対応するねじ付き領域から分解するステップ；
・第３の端部２０；２０’の外周面上に設けられたねじ付き領域２０２；２０２’をねじ付き領域２１１；２２１から分解するステップ；
を含む分解方法がある。
【００４３】
上記にて詳細に説明した実施の形態は、特にライザーに適用した実施の形態である。海表を海底に接続する当該ライザーは、特に、高いねじり応力を生じるうねりや海流が存在すると分解しやすい。ねじり応力は、主に２つの連続する非常に長い管に影響を及ぼし、非常に長い管とそれに接続するカップリングには影響を及ぼさない。より的確には、第１及び第３のコンポーネントが非常に長い管であり、第２コンポーネントがカップリングである場合、当該ねじり応力では、第１及び第３のコンポーネントを互いに分解することができない。第１コンポーネントは、共に組み立てられた第３コンポーネントとカップリングにより、つまり、図１及び図２に示されるように、マークＹ１又はＹ２及びマークＸ１又はＸ２で保持されて構成されるセットから必然的に分解されなければならない。
【００４４】
以下の定義が想起される：短い管は、「カップリング」といい、非常に長い管を接続することを目的とする。当該接続構造は、Ｔ＆Ｃ接続構造（ねじ付き及びカップリング）という。例えば、カップリングタイプの管の長さは０．２〜０．７メートルであり、かつ非常に長い管の長さは６〜１５メートルである。
【００４５】
図１及び２で示された実施の形態を組み合わせた他の実施の形態を図３に示す。本発明の２つの接続構造は、各々、第１、第２、及び第３の管状コンポーネントを備える。１の接続構造では、第１及び第３の管状コンポーネントのねじ付き端部１１、２０は、カップリング２１で共に組み立てられる。他の接続構造では、第１及び第３の管状コンポーネントのねじ付き端部１２、２０’は、カップリング２２で共に組み立てられる。第１管状コンポーネント１１、１２は非常に長い管である。端部２０及び２０’はカップリングでもある同一管状コンポーネントの端部である。管１１及び１２は、３つのカップリング２０、２１、２２により構成されるセットで接続される。Ｘ１及びＸ２を保持することにより、第１管状コンポーネント１１、１２を互いに分解することができない。一方でＸ１及びＹ１を保持し、かつ、他方をＸ２及びＹ２で保持することにより、第１管状コンポーネント１１、１２各々を３つのカップリング２０、２１、２２により構成されるセットから分解しなければならない。第３管状コンポーネントの端部２０、２０’は対称でなくてもよいため、この点で多くの可能性が想起されうる。
【００４６】
要すれば、前記接続構造はまさしく分解防止機能を構成する。
【００４７】
有利には、第１コンポーネントの端部１１、１２は端面１１３、１２３に、隣接面と共に、第２コンポーネント２１、２２の肩部２０３ｓ、２０３ｓ’上に設けられた対応する封止表面との締め付けにより協働する封止表面を備える。実際、接続構造が封止されなければならない場合、第１及び第３のコンポーネント並びに第２及び第３のコンポーネントで、封止表面が接触を緊密状態にすることができなければならない。封止表面の種類について、対象の技術分野における従来の封止表面を参照することができる。この従来の封止表面は、参照により本明細書に組み込まれる特許文献３や特許文献４に記載されるように、重円錐構造、円環-on-円錐構造、円環及び円錐-on-円錐構造であってよい。
【００４８】
有利には、ねじ付き領域が接続構造の回転軸１０に関してテーパーの角度を形成するテーパー状包絡線上にあってよい。このことは、管状コンポーネントを共に組み立てることが容易であることを意味する。そのテーパーの母線の半角は、一般に、０．５〜４°、好ましくは、１〜２°である。
【００４９】
有利には、第１コンポーネントの端部１１、１２に設けられたねじ付き領域１１１、１１２、１２１、１２２は、回転軸１０に関してテーパーの角度αがある同一テーパー上包絡線上に位置し、単一の連続するねじを形成する。このことは、第１コンポーネントに対する機械加工操作がより容易になることを意味する。従って、相補ねじ付き領域２０１、２１２、２０１’、２０２は、互換可能に配置されることに留意すべきである。一例として、カップリング２１が第３管状コンポーネントの端部２０と組み立てられる場合、ねじ付き領域２０１と２１２は、１の操作で機械加工されうる。
【００５０】
もちろん、第２コンポーネント２１、２２の内周面上にあるねじ付き領域２１１、２１２、２２１，２２２を同一テーパー状又は均一筒状包絡線上に配置する他の実施の形態もありうる。この場合、第１コンポーネントの端部１１、１２上に設けられたねじ付き領域１１１、１１２、１２１、１２２は同一包絡線上に位置しない。
【図１】
0005645964.tif 000002
【図２】
0005645964.tif 000003
【図３】
0005645964.tif 000004